(57)【要約】  錠剤等の物体を一度に一個ずつ分出するディスペンサーが開示される。ディスペンサーは錠剤を収容する貯蔵容器と錠剤を通す寸法の貯蔵容器の開口を含む。シュートが貯蔵容器の開口に隣接する壁によって画定され、放出経路を画定する。可動小出しガイドは放出経路に沿った錠剤の前進を阻止しない後退位置と、放出経路における第一及び第二錠剤間で放出経路と交差する前進位置を有する。前進したとき、可動小出しガイドはラインにある第一錠剤が経路から分出されることを許し、ラインにある第二錠剤が前進することを阻止する。アクチュエータは、可動小出しガイドをその後退位置からその前進位置へ移動させるように操作できる。【特許請求の範囲】
【請求項１】
所定供給量の物体から一度に一個の物体を分出するディスペンサーであって、
A.   所定供給量の物体を収容できる寸法の貯蔵容器、
B.   物体を分出できる前記貯蔵容器における開口、
C.   前記貯蔵容器における前記開口に隣接する壁によって画定されるシュート、前記シュートは、前記開口に隣接する第一物体位置と、第一物体位置に隣接し第一物体位置よりも前記開口から遠くにある第二物体位置を含む放出経路を形成する、
D.   可動小出しガイドであって、
・       前記放出経路に沿った物体の前進を阻止しない後退位置、及び
・       前記貯蔵容器における開口と第二物体位置との間で前記放出経路を遮断し、第一物体位置からの物体の分出に干渉することなく第二物体位置にある物体が前記放出経路に沿って更に前進することを阻止する前進位置、を有する可動小出しガイド、並びに
E.   前記可動小出しガイドを前記後退位置から前記前進位置へ移動させるための操作可能アクチュエータ、
を含むディスペンサー。
【請求項２】
前記貯蔵容器の開口を遮断して前記貯蔵容器の開口を介して物体が分出されることを阻止する閉鎖位置と、前記貯蔵容器の開口を介して物体が分出されることを可能にする開放位置を有するドアを更に含む請求項１に記載のディスペンサー。
【請求項３】
前記ドアを開放位置から閉鎖位置へ向けて付勢するスプリングを更に含む請求項２に記載のディスペンサー。
【請求項４】
前記ドアを開放位置へ移動させることのできるドアオープナーを更に含む請求項２又は３に記載のディスペンサー。
【請求項５】
前記ドアオープナーは、押しボタン、及び前記押しボタンが押されたときに前記ドアを開放するための前記ドアと前記押しボタンとの間のリンケージを含む請求項４に記載のディスペンサー。
【請求項６】
前記ドアオープナーはドア・ピボットを中心に回転するように取り付けられたドアリンクを含み、前記ドアリンクは前記ピボットに対して径方向に離隔したドア取付け点を有し、前記ドア・ピボットを中心とする前記ドアリンクの回転が前記ドアを閉鎖位置と開放位置間で移動させるように前記ドアが前記ドア取付け点に連結されている請求項４又は５に記載のディスペンサー。
【請求項７】
前記可動小出しガイドの前進位置は第一物体位置と交差し、前記可動小出しガイドの後退位置は第一物体位置と交差しない請求項１から６のいずれか一に記載のディスペンサー。
【請求項８】
前記可動小出しガイドが前進位置へ向けて移動したときに前記可動小出しガイドが前記物体を第一物体位置から前記開口へ向けて押すようになっている請求項１から７のいずれか一に記載のディスペンサー。
【請求項９】
前記可動小出しガイドを後退位置と前進位置との間で移動させるための小出しガイド・アクチュエータを更に含む請求項１から８のいずれか一に記載のディスペンサー。
【請求項１０】
前記小出しガイド・アクチュエータはガイド・ピボットを中心に回転するように取り付けられたガイドリンクを含み、前記ガイドリンクは前記ガイド・ピボットに対して径方向に離隔したガイド取付け点を有し、前記ガイド・ピボットを中心とする前記ガイドリンクの回転が前記ガイド取付け点を周方向に後退位置と前進位置との間で移動させるように前記可動小出しガイドが前記ガイド取付け点に連結されている請求項９に記載のディスペンサー。
【請求項１１】
前記可動小出しガイドは、前記可動小出しガイドが後退位置にあるとき前記ガイド取付け点から離隔したガイド先端部と、前記ガイド・ピボットから前記ガイド先端部までの長さの少なくとも一部に伸長したガイドカム追従面を有する請求項１０に記載のディスペンサー。
【請求項１２】
ガイドカム面を更に含み、ガイドカム面は前記可動小出しガイドが前記カム面に対して前進位置へ向けて移動するときに前記ガイドカム追従面がそれに接触し追従するような位置にあり、それによって前記ガイド先端部を曲げて前記放出経路と交差させる請求項１１に記載のディスペンサー。
【請求項１３】
同心軸を有し合致して係合する第一及び第二ネジ山を更に含み、第一ネジ山は前記ガイドリンクに対して固定され第二ネジ山は前記ガイドリンクに対して可動であり、第二ネジ山と第一ネジ山を一緒に軸方向に移動させることによって前記ガイドリンクが前記ガイド・ピボットを中心に回転する請求項１０，１１，又は１２に記載のディスペンサー。
【請求項１４】
前記ガイドリンクとドアリンクが一体的である（integral）請求項１０，１１，１２，又は１３に記載のディスペンサー。
【請求項１５】
前記ドアと可動小出しガイドが一体的である請求項１から１４のいずれか一に記載のディスペンサー。
【請求項１６】
前記ガイドリンクと可動小出しガイドが一体的である請求項１０から１５のいずれか一に記載のディスペンサー。
【請求項１７】
前記ドアとドアリンクが一体的であることを請求項６から１６のいずれか一に記載のディスペンサー。
【請求項１８】
前記物体が錠剤、カプセル、又は座薬を含む請求項１から１７のいずれか一に記載のディスペンサー。
【請求項１９】
前記物体が錠剤を含む請求項１から１８のいずれか一に記載のディスペンサー。
【請求項２０】
前記アクチュエータが略U字形の部材の第一レッグを形成し、前記可動小出しガイドが第二レッグを形成し、略U字形の部材が第一レッグと第二レッグの間に伸長したリセス（recess）を有する請求項１から１９のいずれか一に記載のディスペンサー。
【請求項２１】
更に、前記可動小出しガイドがその前進位置へ向けて移動するときに第一レッグと第二レッグ間のリセス開口（recess opening）に侵入し、且つ前記放出経路を横切って前記可動小出しガイドを屈折させるように位置決めされたウエッジを含む請求項２０に記載のディスペンサー。
【発明の詳細な説明】
【技術分野】
【０００１】
本発明は、錠剤、カプセル、その他の物体をユーザーの要求に応じて供給源から一個を分出するディスペンサーに関する。
【背景技術】
【０００２】
２００７年１２月１２日提出の米国出願第６１／０１３，１８５の優先権を主張する。その明細書は参考として組込まれる。
【発明の概要】
【課題を解決するための手段】
【０００３】
本発明の一態様は、所定供給量の物体から一個の物体を分出する（dispensing）ディスペンサーである。前記ディスペンサーは、貯蔵容器、貯蔵容器の開口、シュート、可動小出しガイド、及びアクチュエータを含む。
【０００４】
貯蔵容器は所定供給量の物体を収容できる寸法になっている。貯蔵容器の開口は、物体を前記開口から分出できる形態になっている。
【０００５】
シュートは貯蔵容器の開口に隣接する壁によって画定される。シュートは第一及び第二物体位置を含む放出経路を形成する。第一物体位置は貯蔵容器の開口に隣接する。第二物体位置は第一物体位置に隣接し、貯蔵容器の開口から第一物体位置よりも遠い。
【０００６】
可動小出しガイドは少なくとも二つの位置。即ち、後退位置と前進位置を有する。後退位置は放出経路に沿って物体が進むことを阻止しない。前進位置は貯蔵容器の開口と第二物体位置との間で放出経路と交差する。前進位置にある可動小出しガイドは第二物体位置にある物体が放出経路に沿って更に進むことを阻止する。しかし、前進位置にある可動小出しガイドは第一物体位置から物体を分出することを阻止しない。アクチュエータは可動小出しガイドを後退位置から前進位置に進めるために操作できる。
【図面の簡単な説明】
【０００７】
【図１】開示されたディスペンサーの実施形態を示す斜視図である。
【０００８】
【図２】図１と同様の図であり、一次カバーを除去して下にある構造を示している。
【０００９】
【図３】図１と同様の図であり、切り欠いて内部の構造を示している。
【００１０】
【図４】図３に示された 押しボタン機構だけを切り離して示す分解図である。
【００１１】
【図５】図３と同様の図である。
【００１２】
【図６】図３と同様の分解図である。
【００１３】
【図７】図３の押しボタンとバレル組立体を示す断面図である。
【００１４】
【図８】図２と同様の図であり、一次容器を除去して下にある構造を示している。
【００１５】
【図９】図８と同様の図であり、異なる方向から見た図である。
【００１６】
【図１０】戻りレッグ開放ウエッジ８８を示す詳細部分平面図である。
【００１７】
【図１１】本発明の別の実施形態を示す斜視図である。
【図１２】本発明の別の実施形態を示す斜視図である。
【００１８】
図面では、種々の参照数字が用いられている。それぞれの図面における同様の数字は同様又は同等の部品を表す。
【発明を実施するための形態】
【００１９】
図示実施形態とその変形に関する以下の詳細な説明は、一以上の請求項の範囲内にある本発明の多くの実施形態のうちの代表的なものにすぎない。本発明者は、明記する場合を除き、特定の実施形態への言及によってそれらの請求項の範囲を制限することを意図していない。
【００２０】
図面を参照すると、ディスペンサー１０の実施形態が示されている。図１と図２を参照すると、図示されたディスペンサー１０は、例えば一体型ヒンジである一次ヒンジ１６によって連結される一次蓋１２と一次容器本体１４を含む。ディスペンサー１０は、分出機構を覆う可撓性ダイアフラム１８を有する。（この機構については後述する。）ディスペンサー１０は小出し孔２０を有する。
【００２１】
図３−５を参照して説明すると、ディスペンサー１０は、２２と２４等の物体供給源から物体２２等を一個ずつ分出するために使用できる。物体のいくつかの例としては、錠剤、カプセル、座薬、キャンディー、ゲームピース（ビー玉等）、粒、レーズン、又は岩塩等の自然物質；BBsやペレット等の機械部品等がある。物体の性質や用途はいかなる形でも制限されない。この明細書では錠剤が説明のために用いられるが、分出される物体は錠剤に限定されない。
【００２２】
図３−５に示されたディスペンサー１０の内部構成は、貯蔵容器２６，貯蔵容器の開口２８，シュート３０，可動小出しガイド３２，及び内部スプリング３５を含むアクチュエータ３４を含む。
【００２３】
貯蔵容器２６は２２と２４等の錠剤の所定供給量を収容できる寸法である。貯蔵容器２６の開口２８は錠剤２２と２４が開口２８を介して分出できる形態である。
【００２４】
シュート３０は貯蔵容器２６の開口２８に隣接する内壁３６と外壁３８によって画定される。シュート３０は、それぞれ第一及び第二錠剤２２と２４が占める位置である第一及び第二物体位置４０と４２を含む放出経路３９を画定する。第一物体位置４０は貯蔵容器２６の開口２８に隣接している。第二物体位置４２は第一物体位置４０に隣接し、貯蔵容器２６の開口２８からは第一物体位置４０よりも遠くにある。
【００２５】
可動小出しガイド又はスプリング戻りレッグ（spring return leg）３２は少なくとも次の二つの位置を有する。即ち、図３と４に示されている後退位置４４と、図５に示されている前進位置４６である。後退位置４４は放出経路３９に沿って２２と２４等の錠剤が進むことを阻止しない。前進位置４６は貯蔵容器２６の開口２８と第二物体位置４２との間で放出経路３９と交差する。前進位置４６にある可動小出しガイド３２は第二物体位置４２にある錠剤２４が放出経路３９に沿って更に進むことを阻止する。しかし、前進位置４６にある可動小出しガイド３２は錠剤２２を第一物体位置４０から分出することを阻止しない。アクチュエータ３４は可動小出しガイド３２を後退位置４４から前進位置４６へ移動させるために操作できる。
【００２６】
ディスペンサー１０はドア５０を含み、ドア５０は貯蔵容器２６の開口２８を遮断して２２等の錠剤が貯蔵容器２６の開口２８を介して分出されるのを阻止する閉鎖位置５２と錠剤２２が貯蔵容器２６のリセス（recess）又は開口２８を介して分出されることを可能にする開放位置６４を有する。ディスペンサー１０は６０で示されるドアオープナーを有する。ドアオープナー６０はアクチュエータ３４のリセス６１と貯蔵容器２６のリセス２８とが整合する開放位置へドア５０を移動させるように構成される。
【００２７】
ドアオープナー６０は、押しボタン６２が押されたときにドア５０を開放するためのリンケージ６４を押しボタン６２とドア５０と押しボタン６２との間に含む。詳細には、ドアオープナー６０は、ポスト６８によって形成されるドア・ピボットを中心に回転するように取り付けられたドアリンク６６を含む。ドアリンク６６は、ドア・ピボット６８に対して径方向に離隔して示されているドア取付け点７０を有する。ドア５０は、ドア・ピボット６８を中心にドアリンク６６の回転によってドア５０が図３と５にそれぞれ示されている閉鎖位置と開放位置との間で移動するようにドア取付け点７０に連結される。
【００２８】
本明細書では、“径方向”の離隔又は移動という表現は、何れかの程度の周方向又は軸方向への径方向の離隔又は移動を含む。同様に、“周方向”又は“軸方向”の離隔又は移動は、他の何れの方向の離隔又は移動の表示は、表示された方向の離間又は移動、又は何れかの程度の別の方向への離隔又は移動を含む。
【００２９】
簡単に前述したように、ディスペンサー１０は、可動小出しガイド３２が後退位置４４と前進位置４６との間で移動するための小出しガイド・アクチュエータ３４を有する。本実施形態では、小出しガイド・アクチュエータ３４とドアオープナー６０は同じ機構であり、それに小出しガイド３２とドア５０が取り付けられている。考えられる別の実施形態では、部分的に又は完全に別の機構が小出しガイド・アクチュエータ３４及びドアオープナー６０として設けられる。
【００３０】
小出しガイド・アクチュエータ３４は、ガイド・ピボット７８を中心に回転するように取り付けられたガイドリンク７６を含む。ガイドリンク７６は、ガイド・ピボット７８に対して径方向に離隔したガイド取付け点８０を有し、可動小出しガイド３２がガイド取付け点８０に連結されている。ガイド・ピボット７８を中心とするガイドリンク７６の回転はガイド取付け点８０を図３と図５にそれぞれ示されている後退位置４４と前進位置４６との間で周方向に移動させる。
【００３１】
戻りレッグとして既知の、本実施形態の可動小出しガイド３２は、可動小出しガイド３２が後退位置４４にあるときにガイド取付け点８０から周方向に離隔するガイド先端部分８２と、ガイド先端部分８２からガイド取付け点８０までの長さの少なくとも一部に伸長するガイドカム追従面８２とを有する。
【００３２】
本実施形態のガイドカム追従面８２は、例えば図５と図１０に示されているように、ガイドカム面又は戻りレッグ開放ウエッジ８８の内側ベアリング面８６に当接しかつそれに沿ってスライドする。ウエッジ８８は容器１０に固定され、可動小出しガイド３２がガイドカム面８６に対して前進位置４６の方向へ又はそれから離れるように移動するときにガイドカム追従面８２がそれに接触して追従するように位置決めされる。
【００３３】
可動小出しガイド３２は、熱可塑性プラスチック等の可撓性材料で作ることができる。可撓性小出しガイド３２は前進するときに曲がり、ガイド先端部８２を屈曲させて放出経路３９と交差させる。ガイド先端部８２を径方向内側へ放出経路３９を横切って且つ／又は第一物体位置４０にある錠剤２２と接触するように突出させることは、また、第二物体位置４２にある第二錠剤２４の小出し孔２０及び開口２８の方向への移動を阻止する。
【００３４】
選択的に、スプリング・レッグ９４のスプリング・ベアリング面９２は、また、可動小出しガイド３２が図５に示された前進位置の方向へ又はそれから離れる方向へ移動するときに開放ウエッジ８８の外側ベアリング面９０に当接し、かつそれに沿ってスライドするカム追従面を形成する。選択的に、この実施形態では、戻りレッグ開放面８８は可動小出しガイド３２が前進するときにアクチュエータ３４のリセス９６に付勢されてそれを開放する。ウエッジ８８の固定される位置と二つのベアリング面８６と９０は共働してガイド先端部８２が進む屈曲経路を精密かつ再現可能に形成する。
【００３５】
図１−１０の実施形態では、アクチュエータ３４が略U字形の部材の第一レッグを形成し、且つ可動小出しガイド３２が第二レッグを形成して第一及び第二レッグ３４と３２との間にリセス９６を有する略U字形の部材で形成される。ウエッジ８８はレッグ３４と３２との間で開放するリセス９６に侵入するような位置にあって、可動小出しガイド３２が前進位置４６の方向へ動すときに可動小出しガイド３２を曲げて放出経路３９と交差する。
【００３６】
ドア５０と可動小出しガイド３２の運動は、上で説明し以下で更に詳しく説明するように、押しボタン６２を用いてガイド・ピボット７８を中心にガイドリンク７６を回転駆動する。
【００３７】
ガイド・ピボット７８は、ガイド・ピボット７８の回転を阻止するためにディスペンサー１０に対して固定された支柱である。ガイド・ピボット７８は回動軸を形成する。ガイド・ピボット７８は非丸形の内部リセス１００を有する。（ここで“非丸形”とは、二以上の偏心した円形断面のリセス、並びにひとつの円形断面を有しないリセスを含むと広く定義される。）
【００３８】
図４で単独で示されているアクチュエータ３４は、ガイドリンク７６に対して固定され、ガイド・ピボット７８を中心に一緒に回転するバレル１０２を有する。バレル１０２は、１０４等一以上の第一ネジ山を支持する。
【００３９】
押しボタン６２は、垂下したスカート部又はアクチュエータネジ１０６と垂下した非丸形の同心センターポスト１０８を有する。スカート部１０６は１１０等一以上の第二雄ネジ山を支持する。押しボタン６２のセンターポスト１０８は、ガイド・ピボット７８のリセス１００に嵌入し、バレル１０２とスカート部１０６が格納式に伸縮できる。センターポスト１０８は、非丸形であり、リセス１００と相補的である。センターポスト１０８をリセス１００に挿入すると、センターポスト１０８と押しボタン６２は、リセス１００に対して格納式に軸方向に移動できるが、リセス１００に対して実質的に回転しない。
【００４０】
第一及び第二ネジ山１０４と１１０は同心的であり、合致し係合する。第一ネジ山１０４はガイドリンク７６に対して固定され、ガイド・ピボット７８を中心に回転できる。第二ネジ山１１０はガイドリンク７６に対して可動（この場合、軸方向に可動）であるが、ガイド・ピボット７８を中心に回転できない。ガイドリンク７６は、押しボタン６２を押す等して第二ネジ山１１０とカーブしたネジ山１０４を軸方向に移動することによって、ガイドピボット７８を中心に回転する。押しボタン６２の軸方向の移動は、第一及び第二カーブしたネジ山１０４と１１０の係合によって、バレル１０２の回転運動及びアクチュエータ３４の他の部分のピボット７８を中心とする対応する回転運動に変換される。アクチュエータ３４の回転はディスペンサー１０に固定されたスプリング・ストップによって制限される。
【００４１】
押しボタン６２が押され、図に示されているようにガイドリンク７６が時計方向に回転すると、スプリング・レバーアーム５６はディスペンサー１０に対して固定されたレバーアーム・ストップ１１２を付勢する。図５に示されているように、ガイドリンク７６が前進位置まで回転すると、弾性を有するスプリング・レバーアーム５６はレバーアーム・ストップ１１２に対して曲げられて活性状態のスプリングになり、ガイドリンク７６に反時計方向の反作用力を及ぼす。押しボタン６２が解放されると、この反作用力がガイドリンク７６と押しボタン６２を静止位置へ戻す。
【００４２】
作用として、ディスペンサー１０は次のように機能して一個の錠剤を分出する。ドアの閉じた状態でディスペンサー１０をとんとん叩いたり振ったりすることによって錠剤２２と２４が重力で第一及び第二物体位置に誘導され、シュート３０に２２と２４等の錠剤が装填されるが、開口２８と２０を通る経路は閉鎖される。次に、押しボタン６２が押され、可動小出しガイド３２が前進位置４６へ移動し、第一物体位置の背後でそれに隣接し、選択的にそれと交差する。可動小出しガイド３２の前進位置は、また、第二物体位置４２にある２４等の錠剤の前方にあり、その放出経路に沿った進行を阻止する。同時に、ドア５０が開かれ、第一錠剤２２を開口２０と２８を介して放出する。
【００４３】
選択的に、可動小出しガイド３２が後退位置４４から前進位置４６へ前進したときに、２２等の可動錠剤を第一物体位置から開口２８の方向へ押し出す機能を達成するようにすることができる。換言すると、小出しガイド３２が十分に前進する前にガイド先端部８２が第一物体位置で錠剤に接触して、小出しガイド３２を第一物体位置４０の背面（即ち開口２８と反対側の側面）と交差するように前進させ、錠剤２２を開口２８へ向けて移動させ、ポジティブな分出力を与えるようにすることができる。
【００４４】
第一錠剤が分出された後、押しボタン６２が解除され、可動小出しガイド３２は後退位置４４に戻る。後退位置で、可動小出しガイド３２は第一物体位置と交わらず、第二可動錠剤２４の経路をブロックしない。シュート３０が再び上述のように装填されると、第二錠剤２４は開口２８に隣接する第一物体位置４０へ、閉じたドア５０によってストップされるまで自由に前進することができ、別の錠剤又は他の物体が第二物体位置４２に移動することができる（ディスペンサーに二つ以上の錠剤が残っていると仮定して）。
【００４５】
ディスペンサーの別の実施形態が図１１と図１２に示されている。ディスペンサー１３０は、押しボタン１３２，ドア１３４，及び第一物体位置にある物体１３６を含む。本実施形態では、外側の形態が異なっている。また、ドア１３４はスライド式でなく、スイング式ドアである。ドアをスイングさせて開閉する機械的手段は周知であり、本実施形態での使用できると考えられる。
【００４６】
ディスペンサー１０又は１３０の分出機構は、わずかに三つの少ない部品、即ちアクチュエータ３４、押しボタン６２、及び貯蔵容器２６、その他のケース１４の固定部分で構成できる。アクチュエータ３４は、直線に分割される二部成形型で一つの射出成形品として形成され得る。ケース１４の固定された内部の細部、例えばベース１１６，起立壁１１８，レバーアーム・ストップ１１２，ピボット７８，及びディスペンサー１０のウエッジ８８等、も同様に直線で分割する二部成形型で一つの射出成形品として形成できる。押しボタン６２も二部成形型で成形できるが、ネジ山付きのスカート部１０６は、図示されているように押しボタン６２のヘッド１２０がカーブしたネジ山の上方で突出部を形成している場合、又はその逆の場合、らせん状に引き抜かれる成形部によって成形する必要がある。ヘッド１２０は、また、別途に成形した後にスカート部１０６上にスナップ式に係止される分離部品であってよい。
【００４７】
種々の実施形態で、ガイドリンク７６とドアリンク６６は一体化にすることができる。これは、一緒に結合してワンピースにする、又は何らかの既知方法で、例えば射出成形、ワックス鋳型成形、機械加工法、又は粉末成形等によってワンピースに形成できることを意味する。即ち、図示実施形態のように、ドア６０と可動小出しガイド３２とを一体化することができる。ガイドリンク７６と可動小出しガイド３２を一体化することができる。ドア６０とドアリンク６６は一体化することができる。これらの部品はすべて図示実施形態のように一体化することができる。
【００４８】
図示されている別の特徴は、シュート３０の付近の貯蔵容器２６のベース１１６上の１２４等の起立リブの１２２等の突出縁によって画定される擬似床（false floor）である。このフリーアクセス床は、シュート３０における２２又は２４等の二つ以上の錠剤が重なって一度に一個よりも多くの錠剤が放出されることを防止する。その代わりに貯蔵容器２６を他の方法で全体に又はシュート３０の付近でもっと浅く作って同じ効果を上げることもできるが、貯蔵容器２６の全体が浅くなるとシュート３０の外側で保持できる錠剤の数が少なくなる。１２４等のリブの別の目的は、貯蔵容器の壁の表面積を増やすことであり、これは１２４等のリブが乾燥材、脱酸素剤、又は後述の参照によって組み込まれる特許に記載されている他の機能材料で形成されている場合には特に有用である。
【００４９】
図示実施形態及び２２と２４等の物体には、他にも多くの選択肢が考えられる。物体は、同じ成形型で成形された一連の錠剤のように同一であっても、同じような寸法を持つようにふるい分けされた物体であってよいが、必ずしも寸法や形が同一でなく、寸法や形が多少異なっていてもよい。
【００５０】
選択的にディスペンサー１０は以下の特徴のいずれか又は全部を、任意の組み合わせ又は構成によって有してよい。
【００５１】
選択的にパッケージは錠剤を一度に一個を分出することができる。
【００５２】
選択的に作動ボタンを押し下げると内部スプリングに回転運動が生じ、選択的にそれによって一度に一個の錠剤だけが分出されるようにできる。
【００５３】
選択的に以下の米国特許の一以上に記載されているようにパッケージは防水性にすることができる。即ち米国特許Nos. 7,243,817; 7,213,720; 7,005,459; 6,726,058; 6,613,405; 及び6,486,231であり、それらは参照によって全体が本明細書に組み込まれる。
【００５４】
選択的に以下の米国特許の一以上に記載されているようにパッケージは乾燥剤プラスチックに適合する能力を有してよい。即ち米国特許Nos. 7,243,817; 7,213,720; 7,063,234; 7,005,459; 6,726,058; 6,705,463; 6,613,405; 6,486,231; 6,465,532; であり、それらは参照によって全体が本明細書に組み込まれる。
【００５５】
選択的に以下の米国特許の一以上に記載されているようにパッケージは三相ポリマーに適合する能力を有してよい。即ち米国特許Nos. 7,005,459; 6,852,783; 6,613,405; 6,486,231; 6,465,532; 又は6,460,271; であり、それらは参照によって全体が本明細書に組み込まれる。
【００５６】
選択的に以下の米国特許の一以上に記載されているようにパッケージは脱酸素フィルム等の特殊フィルムに適合する能力を有してよい。即ち米国特許Nos.7,258,930; 7258,882; 7,153,891; 7,022,258; 6,960,376; 6,942,821; 6,911,122; 6,689,438; 6,682,791; 6,632,408; 6,610,215; 6,599,598; 6,599,487; 6,586,514; 6,569,506; 6,464,896; 6,449,923; 6,406,644; 6,369,148; 6,333,087; 6,287,481; 6,259,107; 6,254,802; 6,233,907; 5,911,910; 5,904,960; 5,885,581; 5,811,027; 5,744,056; 5,741,385; 及び5,112,449であり、それらは参照によって全体が本明細書に組み込まれる。
【００５７】
示されたパッケージ形態は、正方形又は長方形の六面体で円形コーナーと縁を有するもの、又は薄型シリンダで側面が少し平坦であるものと記載される。しかし、内部スプリング機構は他の外形に容易に適用できる。
【００５８】
デザイン形態は、チャイルドレジスタントであってシニアーフレンドリー（“CRSF”）なクロージャー（closure）（即ち、幼児が開けることは難しいが年長者は容易に開けられるもの）を有し、種々の特許及び特許出願、即ち米国特許Nos. 7,222,754; 7,070,069; 6,976,576; 6,202,869; 6,029,858; 5,819,967; 及び5,718,347; 及び米国特許出願公開Nos. 20070251983; 20070246395; 20070170191; 20070084747; 20070068844; 20070068843; 20070054525; 20070045149; 20070034543; 20050274644; 及び20040226853の一以上に記載されているようなものであり、それらは参照によって全体が本明細書に組み込まれる。
【００５９】
図示していないが別の形態では、アクチュエータ３４がスライドとして提供でき、スライドは図４に示されたような湾曲して周方向に伸長したリンクなく、直線的であってよい。スライドは、一端又は両端にあるハンドルを操作することによってその平面上で往復させてドア５０を開閉するか、可動小出しガイド３２を作動させるか、又は両方を行うことができる。更に、本明細書で記載された一以上の機能を実行する他の機構の使用も考えられる。
【符号の説明】
【００６０】
１０    ディスペンサー
１２    一次蓋
１４    一次容器本体
１６    ヒンジ
１８    可撓性ダイアフラム
２０    小出し孔
２２    離散的物体
２４    離散的物体
２６    貯蔵容器
２８    開口（２６における）
３０    シュート
３２    可動小出しガイド
３４    アクチュエータ
３５    内部スプリング
３６    壁（３０の）
３８    壁（３０の）
３９    放出経路
４０    第一物体位置
４２    第二物体位置
４４    後退位置（３２の）
４６    前進位置（３２の）
５０    ドア
５２    閉鎖位置（５０の）
５４    開放位置（５０の）
５６    スプリングアーム
６０    ドアオープナー
６１    リセス（３４の）
６２    押しボタン（６０の）
６４    リンケージ（５０，６２の間の）
６６    ドアリンク（６０の）
６８    ドアピボット
７０    ドア取付け点
７６    ガイドリンク
７８    ガイドピボット
８０    ガイド取付け点
８２    ガイド先端部
８４    ガイドカム追従面
８６    内側ベアリング面（８８の）
８８    戻りレッグ開放ウエッジ
９０    外側ベアリング面（８８の）
９２    スプリング・ベアリング面
９４    スプリング・レッグ
９６    リセス（３４の）
１００    リセス（７８の）
１０２    バレル（３４の）
１０４    第一ネジ山（１０２の）
１０６    スカート部（６２の）
１０８    センターポスト
１１０    第二ネジ山
１１１    スプリング・ストップ
１１２    ストップ
１１６    ベース（２６の）
１１８    起立壁（２０の）
１２０    ヘッド（６２の）
１２２    突出縁（１２４の）
１２４    リブ
１３０    ディスペンサー（図８−９）
１３２    押しボタン
１３４    ドア
１３６    物体
【図１】
2011513142.tif 000002
【図２】
2011513142.tif 000003
【図３】
2011513142.tif 000004
【図４】
2011513142.tif 000005
【図５】
2011513142.tif 000006
【図６】
2011513142.tif 000007
【図７】
2011513142.tif 000008
【図８】
2011513142.tif 000009
【図９】
2011513142.tif 000010
【図１０】
2011513142.tif 000011
【図１１】
2011513142.tif 000012
【図１２】
2011513142.tif 000013